(57)【要約】【課題】電子機器のヒンジ部等、一方向への大きな曲率の湾曲または局所的な屈曲動作を伴う部位に搭載しても、短絡もしくは部材の破断による機能低下の起こらない薄型でフレキシビリティに優れる電気化学装置を提供すること。【解決手段】電気化学装置としてのリチウムイオン二次電池の集合体１０は、ワイヤ状もしくはロッド状のセル７がフレキシブルな繊維（または帯状体）８，１２により編み込まれて連結され、シート状に成型されている。隣接するセル７間を連結する繊維（または帯状体）８，１２が先行して屈曲し、該シート状構造を湾曲または屈曲させることを可能とした。セル７の外部集電体層６は、外部電極１３に接続された導電体からなる繊維１２に接触している。内部集電体としての芯材１は、外部電極１６に接続された導電体１５に接触している。【選択図】図５
2014089973.tif 000002
【特許請求の範囲】
【請求項１】
第１芯材と第１負極活物質層と第１電解質層と第１正極活物質層と第１集電体層とを含む第１電気化学素子と、
第２芯材と第２負極活物質層と第２電解質層と第２正極活物質層と第２集電体層とを含む第２電気化学素子と、
前記第１電気化学素子と前記第２電気化学素子とを連結する可撓性を有する第１連結部と、
前記第１芯材と前記第２芯材とに電気的に接続する第１電極と、
前記第１集電体層と前記第２集電体層とに電気的に接続する第２電極と、
を備えることを特徴とする電気化学装置。
【請求項２】
請求項１に記載の電気化学装置であって、
複数の前記第１連結部を有し、
前記第２電極は、前記第１電気化学素子と前記第２電気化学素子とを連結する可撓性および導電性を有する第２連結部に接続され、
前記第２連結部が前記第１連結部の間に位置することを特徴とする電気化学装置。
【請求項３】
請求項１または２に記載の電気化学装置であって、
前記第１電極は、前記第１芯材と前記第２芯材とを連結する可撓性および導電性を有する第３連結部に接続されていることを特徴とする電気化学装置。
【請求項４】
請求項１乃至３のいずれか一項に記載の電気化学装置であって、
前記第１連結部、前記第２連結部、前記第３連結部が繊維または帯状体を含むものであることを特徴とする電気化学装置。
【請求項５】
請求項１乃至３のいずれか一項に記載の電気化学装置において、
前記第１連結部および前記第２連結部が繊維または帯状体を含むものであって、
前記繊維または前記帯状体により、前記第１電気化学素子と前記第２電気化学素子とが編み込まれて連結されていることを特徴とする電気化学装置。
【請求項６】
請求項１乃至５のいずれか一項に記載の電気化学装置において、
前記第１電気化学素子と前記第２電気化学素子との間に隙間があることを特徴とする電気化学装置。
【発明の詳細な説明】
【技術分野】
【０００１】
本発明は、湾曲や屈曲させても安定的な動作が可能な電気化学装置に関する。
【背景技術】
【０００２】
電気化学装置としてのリチウムイオン二次電池はニッケル−カドミウム電池等に比して高電圧特性および充放電容量が優れており、電源として携帯型電子機器等へ広く搭載されている。
また近年ではＩＣカードや電子ペーパーといった薄型のフレキシブルデバイスの出現に伴い、これらに搭載されるリチウムイオン二次電池は、薄型でフレキシビリティを有するものが求められている。
【０００３】
これまでリチウムイオン二次電池には円筒形、コイン型に加え箱型の電池パックが知られている。これらは変形による正極と負極の短絡や電解質の漏出などの防止を目的として、定型の筐体内に電池構造が構成されており、これを搭載する機器は電池の形状によって収納部位の空間容量や搭載位置等、設計の自由度が狭められている。
【０００４】
このように従来のリチウムイオン二次電池は強固な筐体に収納されているため、電池を湾曲させることはできなかった。このためリストウォッチのベルトなど、湾曲する部位へリチウムイオン二次電池を直接搭載することは困難であり、変形しない部位に搭載スペースを設ける必要があった。
【０００５】
上記課題の解決策として、例えば特許文献１に記載される薄膜固体二次電池が提案されている。これは正極集電体、正極活物質、無機固体電解質、負極活物質、負極集電体のそれぞれを薄膜として形成し順に積層することで、全体を数十〜数百μｍ程度の薄さにすることが可能であり、電池にフレキシビリティを付与することが可能となっている。
【０００６】
一方で、薄膜固体二次電池では電解質層も薄膜化する必要があり、電池を湾曲させた際に正極と負極が短絡しやすいという問題がある。即ち電解質層が薄膜であるため正極活物質層と負極活物質層が接近しており、湾曲の際に電解質層に生じたクラックなどを通して短絡を起こしやすく、短絡により電池本体や最悪デバイス全体が破壊されるおそれがあった。
【０００７】
上述した薄膜固体二次電池の短絡の問題を鑑みて、特許文献２に記載される技術が提案されている。即ち基板上に形成した集電体薄膜、正極活物質薄膜、固体電解質薄膜、負極活物質薄膜、集電体薄膜を順に積層した薄膜構造のうち、固体電解質薄膜中にその厚みよりも直径の小さい球状粒子を含有させる手法である。この粒子は正極と負極が短絡するのを防ぐ働きをもち、湾曲させても安全に使用することができるリチウムイオン二次電池を提供できるとしている。
【先行技術文献】
【特許文献】
【０００８】
【特許文献１】特開２００７−１２３０８１号公報
【特許文献２】特開２００８−１４６９１７号公報
【発明の概要】
【発明が解決しようとする課題】
【０００９】
しかしながらこれら薄膜固体二次電池は固体電解質層に短絡防止手段を講じても、鋭角に湾曲させた際には電池積層構造の最外部が破断してしまうため、電池の入出力の低下や機能停止が起こるおそれがあった。このため大きな曲率で湾曲する部位へ搭載することは困難であり、まして鋭角に屈曲させることは困難であることから、搭載する機器やその搭載位置が制限されるという課題があった。
【課題を解決するための手段】
【００１０】
本発明は、上述の課題の少なくとも一部を解決するためになされたものであり、以下の形態または適用例として実現することが可能である。
【００１１】
［適用例１］本適用例の電気化学装置は、第１芯材と第１負極活物質層と第１電解質層と第１正極活物質層と第１集電体層とを含む第１電気化学素子と、第２芯材と第２負極活物質層と第２電解質層と第２正極活物質層と第２集電体層とを含む第２電気化学素子と、前記第１電気化学素子と前記第２電気化学素子とを連結する可撓性を有する第１連結部と、前記第１芯材と前記第２芯材とに電気的に接続する第１電極と、前記第１集電体層と前記第２集電体層とに電気的に接続する第２電極と、を備えることを特徴とする。
【００１２】
上記構成によれば、蓄電可能な電気化学素子（以降、セルと呼ぶ）を少なくとも２個以上第１連結部により連結させることでシート状とし、また該シート状構造を湾曲または屈曲させる際に、セルを連結する可撓性を有する第１連結部がセルに優先して屈曲する構造とすることで、セルを変形させること無く曲げ動作を行なうことができる。従ってセルの変形に伴い正極と負極が短絡することや、またセルの部材が破断するのを防止する効果を奏する。なお、第１電気化学素子および第２電気化学素子は、同じ蓄電性能を有するものでもよいし、異なる蓄電性能を有するものでもよい。
【００１３】
［適用例２］上記適用例の電気化学装置であって、複数の前記第１連結部を有し、前記第２電極は、前記第１電気化学素子と前記第２電気化学素子とを連結する可撓性および導電性を有する第２連結部に接続され、前記第２連結部が前記第１連結部の間に位置することが好ましい。
【００１４】
これによれば、鋭角な屈曲を行なっても第２連結部にかかる応力を複数の第１連結部によって分散させることができる。その結果、第２電極に接続される第２連結部が屈曲により破断し出力が低下することや、機能が停止することを防ぐことができる。
【００１５】
［適用例３］上記適用例の電気化学装置であって、前記第１電極は、前記第１芯材と前記第２芯材とを連結する可撓性および導電性を有する第３連結部に接続されていることが好ましい。
【００１６】
これによれば、第１電極に接続される第３連結部が屈曲により破断し出力が低下することや、機能が停止することを防ぐことができる。
【００１７】
［適用例４］上記適用例の電気化学装置において、前記第１連結部、前記第２連結部、前記第３連結部が繊維または帯状体を含むものであることが好ましい。
【００１８】
これによれば、フレキシブルな繊維または帯状体によりセルを連結することで、曲げ特性に優れる薄型の電気化学装置を提供できる。
【００１９】
［適用例５］上記適用例の電気化学装置において、前記第１連結部および前記第２連結部が繊維または帯状体を含むものであって、前記繊維または前記帯状体により、前記第１電気化学素子と前記第２電気化学素子とが編み込まれて連結されていることが好ましい。
【００２０】
これによれば、フレキシブルな繊維または帯状体によりセルを編み込んで連結することで、屈曲に対して優れた信頼性を有する薄型の電気化学装置を提供できる。
【００２１】
ここで編み込みとは、２個以上のセルを繊維または帯状体の太さ以上の間隔をおいて配置し、セル間の隙間を繊維または帯状体で縫うようにしてセル同士を連結し一体とする工程を表す。シート状に編み込まれるセルの個数を多くすることで蓄電容量を増すことができる。
【００２２】
［適用例６］上記適用例の電気化学装置において、前記第１電気化学素子と前記第２電気化学素子との間に隙間があることが好ましい。
【００２３】
これによれば、セル間の隙間に連結部を設けることができる。すなわち、複数本のセルを単位として連結しないので、よりフレキシブルなシート状の電気化学装置を提供できる。また、第２連結部や第３連結部のように導電性を有する連結部によりセルをシート状とすることで、多数のセルを電気的に直列または並列に接続させるための複雑な回路を省くことができる。
【００２４】
さらに、第１および第２電気化学素子を棒状のセルとすることにより、缶封止した従来のセルに比して断面積を極めて小さくすることができ、電気化学装置を薄型とし滑らかに湾曲させることのできる特性を与えることができる。
【図面の簡単な説明】
【００２５】
【図１】リチウムイオン二次電池のセルを示す概略図。
【図２】リチウムイオン二次電池のセルを示す概略断面図。
【図３】実施例１のリチウムイオン二次電池の集合体を示す概略図。
【図４】編み込みの方法の１例を示す斜視図。
【図５】外部集電体層の取り出し配線を形成する方法を示す概略図。
【図６】外部電極と繊維との電気的な接合方法を示す概略図。
【図７】（ａ）は実施例２のリチウムイオン二次電池の集合体を示す概略斜視図、（ｂ）は封着状態を示す概略斜視図。
【図８】実施例３のリチウムイオン二次電池の集合体を示す概略断面図。
【発明を実施するための形態】
【００２６】
以下、本発明を具体化した実施形態について図面に従って説明する。なお、使用する図面は、説明する部分が認識可能な状態となるように、適宜拡大または縮小して表示している。
【００２７】
本実施形態の電気化学装置として、リチウムイオン二次電池の集合体を例に図１及び図２を参照して説明する。図１はリチウムイオン二次電池のセルを示す概略図、図２は断面図である。
【００２８】
図１に示すように、本実施形態の電気化学素子としてのリチウムイオン二次電池のセル７は、導電性の素材を糸状または棒状の形状に成形されてなる内部集電体としての芯材１を有する。芯材１の断面形は、外郭線が曲線のみで構成される形状であっても、また少なくともひとつの直線部分を含む形状であってもよい。
また、芯材１に用いられる材料は導電性を有するものであればいかなる材料を用いてもよいが、Ｐｔ、Ｔｉ、Ａｌ、Ａｇ、Ａｕ、Ｆｅ、Ｐｂ、Ｎｉ、Ｉｒ、Ｃｏ等の金属材料や、炭素繊維や炭素族元素、導電性高分子材料等を用いることができる。
セル７は、芯材１周面に正極活物質層３、電解質層４、負極活物質層５、外部集電体層６を順に積層させて構成される。芯材１に対する正極活物質層３、電解質層４、負極活物質層５の積層の順が逆であってもよい。
【００２９】
次に、セル７の製造方法について説明する。まずワイヤ状もしくはロッド状の芯材１を内部集電体として、その周面に電池材料を積層する。この際あらかじめ芯材１の軸方向の少なくとも一端部を容易に除去が可能な保護材２で被覆し図１のような構成とすることで、後に芯材１を露出させる工程を簡略化することができる。保護材２としては、セロファンなどの樹脂テープや石膏などを用いることができる。またこの保護材２は塗布、貼付け等により形成されるほか、金属または樹脂で成型される着脱が可能な治具を用いて被覆を行なってもよい。
【００３０】
セル７の製造方法は、例えば以下の４工程により、芯材１周面に正極活物質層３、電解質層４、負極活物質層５、外部集電体層６を順に積層しセル７を形成するものである。
（１）少なくとも一端部を保護材２により被覆した芯材１表面に、正極活物質を積層して正極活物質層３を形成する工程。
（２）正極活物質層３表面に、電解質を積層して電解質層４を形成する工程。
（３）電解質層４表面に、負極活物質を積層して負極活物質層５を形成する工程。
（４）負極活物質層５表面に、外部集電体を積層して外部集電体層６を形成する工程。
【００３１】
セル７の製造方法において工程（１）、（２）、（３）の順番を逆にして、芯材１表面上に負極活物質層５、電解質層４、正極活物質層３、外部集電体層６の順に積層した構造としてもよい。また上記（１）、（２）、（３）の各工程では、粉体ペースト、ゾルゲル材料や微粒子分散液等の液体材料を塗布または噴霧し焼成する方法、または気相成長法、スパッタリング、プラズマＣＶＤなど気相での成膜法などの手法を用いることができる。
【００３２】
上記工程（１）に使用される正極活物質は硫黄、リン等を含有したものを含むリチウム遷移金属複合酸化物が好ましく、具体的にはＬｉＣｏＯ2、ＬｉＭｎ2Ｏ4、ＬｉＭｎＭｇＯ4、ＬｉＦｅＰＯ4などや、これらの組成元素の比率を変化させたもの、およびその一定量をＢ、Ｃ、Ｎ、Ｎａ、Ａｌ、Ｔｉ、Ｎｉ、Ｚｎ、Ｚｒ等の元素で置換したものから選択される。
【００３３】
上記工程（２）で積層される電解質は、正極および負極間をリチウムイオンが往来する反応の媒体として機能するものが選択され、液体、ゲル状、固体のものが知られている。
液体のものではエチレンカーボネート、プロピレンカーボネート、ブチレンカーボネート等の環状炭酸エステル、ジメチルカーボネート、エチルメチルカーボネート、ジエチルカーボネート等鎖状炭酸エステル、テトラヒドロフラン、1,3−ジオキソフラン等の環状エーテル、1,2−ジメトキシエタン、1,2−ジエトキシエタン等の鎖状エーテル、γ−ブチロラクトン等の環状エステル、酢酸メチル等の鎖状エステル等の有機溶媒の単体、もしくは二種類以上混合したものに、ＬｉＣｌＯ4、ＬｉＢＦ4、ＬｉＰＦ6、ＬｉＣＦ3ＳＯ3、ＬｉＮ（ＣＦ3ＳＯ2）2、ＬｉＣ（ＣＦ3ＳＯ2）3等の支持電解塩を溶解した有機電解液を用いることができる。
【００３４】
またゲル状のものとしては前記電解液をポリエチレンオキシド、ポリアクリロニトリル、ポリフルオロビニリデン、エチレングリコールエチルカーボネートメタクリレート等のゲル剤と混合し、加熱後の冷却や重合反応によってゲル化させたものを用いることができる。
【００３５】
固体のものとしては高分子固体および無機固体のものが知られており、前者ではポリフェニルメタンポリイソシアネート等のポリイソチオシアネート類、ポリペンタエリスリトール等のポリオール類、ペンタエリスリトールトリアクリレート等のヒドロキシアクリレート類を単独、或いは複数種重合したものを用いることができる。また後者の例としてはＬｉＬａＴｉＯ3等の無機結晶質もしくはこれらの元素組成比を一定量変化させるか、Ｎａ、Ｚｎ、Ｚｒ、Ｆｅ、Ｐｂ、Ｃｕなどの元素で置換したもの、またはＬｉＩ−Ｌｉ2Ｓ−Ｐ2Ｓ5、Ｌｉ2Ｓ−ＧｅＳ2−Ｐ2Ｓ5、ＳｉＯ2−Ｐ2Ｏ5、Ｌｉ2Ｏ−ＳｉＯ2−Ｐ2Ｏ5等のリチウムイオン電導性非晶質等の薄膜を用いることができる。
【００３６】
上記電解質において、リチウムイオン伝導性の性質を有するものを用いる場合、液体またはゲル状の電解質では正極と負極の短絡やリチウム金属の析出による異常を抑制するため緻密な繊維から製造されるセパレーターを使用しなければならない。
一方固体電解質では短絡を起こしにくいためセパレーターを省くことができ、セル７の断面積を小さくすることができるため、より薄型の電池を得るためには固体電解質を用いることが好ましい。
【００３７】
上記工程（３）で用いる負極活物質はリチウムイオンの吸蔵および放出の性質に優れるものが好ましく、グラファイトカーボン、メソフェーズカーボン、ハードカーボン等の炭素材料、ＳｎＯ、ＳｎＯ2、ＧｅＯ2、ＳｉＯ等の炭素族元素酸化物、Ｌｉ7ＭｎＮ4、ＬｉＦｅＮ2等のリチウム遷移金属窒化物、Ｃｕ6Ｓｎ5、Ａｇ3Ｓｎ等の合金などから選択することができる。
【００３８】
上記工程（４）では外部電極となる外部集電体層６によって負極活物質層５を被覆する。この外部集電体としては、Ｆｅ、Ｃｕ、Ａｌ、Ｚｎ、Ａｇ、Ａｕ、Ｐｔ等の金属や、各種炭素化合物、高分子などを用いることができる。外部集電体層６はめっきや真空蒸着、金属箔または高分子フィルムの接着剤による接着、圧着により形成することができる。
【００３９】
以上の工程により、図２の断面図のような断面構造を有するセル７が得られる。このセルは軸方向の長さを長くすることで１セル当たりの容量を大きくすることができる。
【００４０】
次に、上記製造方法により得られたセル７を用いて構成されたシート状の電気化学装置（リチウムイオン二次電池の集合体）の実施例について説明する。
【００４１】
（実施例１）
図３は実施例１のリチウムイオン二次電池の集合体を示す概略図である。
【００４２】
図３に示すように、実施例１のリチウムイオン二次電池の集合体１０は、セル７の保護材２を除去して芯材１を露出させ、少なくとも２個以上のセル７を隣接するセル７の軸同士が平行かつ同一の平面を成すように間隔を置いて配置する。その後、複数のセル７を第１連結部としての繊維８（または帯状体）によりセル７の軸と交差する方向（直交する方法）に編み込み、シート状とする。このとき個々の芯材１を被覆する部分の端部同士が成す直線とセル７の軸が直角になるように、複数のセル７を配置することが好ましい。
【００４３】
繊維８による編み込みの方法は、図３に示すように配列したセル７が繊維８によってシート状に連結され、繊維８の屈曲または隣り合ったセル７の繊維８に対する摺動が可能であればいかなる態様であってもよい。
【００４４】
ここで編み込みに用いる繊維８は、該集合体１０の屈曲性能を向上するために柔軟な素材（可撓性を有する素材）を用いることが好ましい。具体的にはポリアミド、ポリプロピレン、ポリエチレン、ポリエチレンテレフタレート、アクリロニトリル等とそれに類する合成繊維が挙げられる。
【００４５】
図４は編み込みの方法の１例を示す斜視図である。図４に示される屈曲性能に優れる編み込みの方法の１例は、２つ以上の並列したセル７の軸が成す平面を基準とし、該基準平面を水平面と仮定すると、隣接するセル７間の繊維８が基準平面の上下でセル７を交互に連結する態様となっている。この方法では少なくとも３本以上の繊維８による編み込みが必要であり、且つ少なくとも３本うち１本の繊維８のセル７との接点が上記基準平面に対して他の繊維８とは上下反対になっていることが、セル７を安定的に支持するために要求される。
【００４６】
このようなシート状の集合体１０のひとつのセル７に着目すると、繊維８が上記基準平面の上下両方向からセル７の外周に接しており、シート状とした際にその形態を支持することができる。また本構造によれば、セル７の並列方向に対する屈曲の際には、隣接したセル７間を連結する繊維８のみが屈曲するため、セル７に曲げ応力をかけることなく繊維８の柔軟性（可撓性）に依存して屈曲させることができる。また繊維８とセル７が固着しておらずセル７が繊維８との接触面を摺動することが可能である。従って繊維８の屈曲とセル７の摺動により、本シート状のリチウムイオン二次電池の集合体１０は局所的に鋭角に屈曲することが可能となっている。
【００４７】
このようにして繊維８を用いた編み込みによりセル７をシート状とした構造では、セル７の並列方向への屈曲を行なってもセル７内の正極と負極が短絡することを防ぐことができ、湾曲のみならず屈曲動作させることができる。
【００４８】
次に図５および図６を参照して、外部集電体層の取り出し配線を形成する方法を説明する。図５は外部集電体層の取り出し配線を形成する方法を示す概略図、図６は外部電極と繊維との電気的な接合方法を示す概略図である。
【００４９】
本実施形態に係る外部集電体層６の取り出し配線は導電性の第２連結部としての繊維１２（または帯状体）を用い、複数配列したセル７を編み込むことで得られる。より具体的には図４に示した繊維の編み込み方法と同様である。少なくとも１本以上のフレキシブルな導電性の繊維１２を用いて、前述した基準平面の上下において交互に２つ以上のセル７に接するよう編み込むことで、セル７の外部集電体層６との接点において導電性の繊維１２と通電することができる。
【００５０】
このように外部集電体層６に接続する取り出し配線をフレキシブルな繊維１２として複数のセル７を編み込むことによって形成することにより、集合体１０のフレキシビリティが損なわれることを防ぐことができる。この繊維１２は１本でも機能するが、屈曲させても常にセル７に接して安定的に電流を流せるようにするためには、編み込まれる繊維１２が２本以上であることが好ましい。
【００５１】
繊維１２は、集合体１０の屈曲を阻害しないよう十分に小さい断面積をも持ち、柔軟性を備えていればいかなる素材を用いても構わない。具体例としてはＣｕ、Ｆｅ、Ｎｉ、Ａｕ、Ａｌ等の金属材料、ポリアセチレン、ポリオレフィン等の導電性高分子材料などが挙げられるが、上記条件を満たしていればこの限りでない。
【００５２】
繊維１２は、集合体１０が搭載される外部デバイスと接続するための第２電極としての外部電極１３に接続される。この外部電極１３は導電性の基材より作製され、セル７の配列の末端に配置するほか、断面積および断面形をセル７と同一にしてセル７の配列中に配置してもよい。外部電極１３との接点では、繊維１２をはんだ付け、溶接、導電性接着剤による貼付けのほか、図６で示されるように外部電極１３に突起部分１４を形成し、これに繊維１２を巻きつけるなどして、両者を接合させてもよい。接合方法はこれらの方法を組み合わせてもよいし、屈曲または湾曲を行なっても繊維１２と外部電極１３との接触が破綻しない構成であれば、いかなる方法を用いてもよい。
【００５３】
続いて芯材１からの取り出し配線は以下のようにして形成される。
【００５４】
本実施形態にかかるセル７の芯材１は、その一端部が保護材２で被覆された状態でその表面に電池材料が積層されている。それゆえに、まず芯材１の表面の保護材２を除き、通電する芯材１（内部集電体）の一端部を露出させる。この露出部にフレキシビリティを有する繊維または帯状体を含む第３連結部としての導電体１５を少なくとも一本以上編み込むことで、両者の接点において通電することができる。
【００５５】
芯材１（内部集電体）からの取り出しも外部集電体層６と同様にして、柔軟な導電体１５を取り出し配線とすることでシート状の集合体１０のフレキシビリティを確保することができる。また導電体１５を２本以上とすることが、屈曲した際の安定的な通電性を実現する上で好ましい。
【００５６】
本実施形態にかかる芯材１（内部集電体）からの取り出し配線には柔軟な導電体１５が用いられ、屈曲を阻害しないよう十分に小さい断面積であることが必要である。また用いられる材料としては、例えばＣｕ、Ｆｅ、Ｎｉ、Ａｕ、Ａｌ等の金属材料、ポリアセチレン、ポリオレフィン等の導電性の高分子材料を用いることができる。
【００５７】
また、導電体１５は、外部電極１３とは対極の第１電極としての外部電極１６に接続することで機器への搭載を簡易にすることができる。外部電極１６との接続方法については屈曲または湾曲を行なっても導電体１５と外部電極１６の接触が破綻しなければ、いかなる方法を用いてもよい。具体的には繊維１２と外部電極１３との接合方法で例示された方法が挙げられる。
【００５８】
芯材１（内部集電体）に接続された外部電極１６は導電性の基材から製造され、これは剛体であってもよい。これをセル７の配列の末端において、配列した複数のセル７の軸が成す平面上に配置する。この平面における外部電極１６の断面形はいかようであっても構わない。また断面積は、セル７の断面積より小さくても、また大きくてもよい。また芯材１（内部集電体）に接続された外部電極１６は対極の外部電極１３とセル７の配列方向の同端に配置しても、また反対側に配置してもよい。このとき外部電極１６が対極の外部電極１３およびセル７の外部集電体層６と接触しないよう、形状および配置を工夫するか、または両極間に絶縁体を設けることが好ましい。
【００５９】
実施例１のリチウムイオン二次電池の集合体１０の構成によれば、互いに接触することのない正極と負極を備え、セル７の配列方向への優れた屈曲性能を有する。また、屈曲を行なっても安定的に動作するシート状のリチウムイオン二次電池の集合体１０が得られる。
【００６０】
次に、他の実施例について図７および図８を参照して説明する。
【００６１】
（実施例２）
図７（ａ）は実施例２のリチウムイオン二次電池の集合体を示す概略斜視図、同図（ｂ）は封着状態を示す概略斜視図である。
図７（ａ）に示すように、実施例２のリチウムイオン二次電池の集合体２０は、可撓性の絶縁体からなるフィルム１８で実施例１の集合体１０を被覆し、同図（ｂ）に示すように正極および負極の外部電極１３，１６のみを露出させ封着したものである。
実施例２によれば、シート状のリチウムイオン二次電池の集合体２０を機器に搭載した際に、フィルム１８によって封着されているので、強い外力によって正極と負極の取り出し配線が接触し短絡することを防ぐことができる。また大気中の酸素や水分などにより集電体表面が酸化し、導電性が低下することにより出力が低下することを防止する役割を果たしている。
【００６２】
ここで可撓性の絶縁体からなるフィルム１８とは、天然ゴム、クロロプレンゴム等の絶縁性に優れ、かつ十分な可撓性または弾性を備える素材から選択される。また、集合体２０の屈曲性を阻害しないよう十分小さい断面積を有する素材が用いられ、セル７が外気に曝されないように外部電極１３，１６を除く全ての部分を被覆するように成形される。
【００６３】
（実施例３）
図８は、実施例３のリチウムイオン二次電池の集合体を示す概略断面図である。図８に示すように、実施例３のリチウムイオン二次電池の集合体３０は、実施例２のリチウムイオン二次電池の集合体２０を、内蔵するセル７の軸が成す平面に対し垂直な方向に複数積層した積層構造としたものである。
また、各リチウムイオン二次電池の集合体２０の外部電極１３，１６にそれぞれ繋がる接続部１７，１９を備えている。
実施例３によれば、セル７の成す平面の面積を変えることなく、より容量の大きなフレキシブルなリチウムイオン二次電池の集合体３０を得ることができる。このとき積層された集合体２０をさらに可撓性の絶縁体からなる前述のフィルム１８で被覆することにより、積層構造を維持することができ、また外気による部材の劣化を防ぐことができる。
【００６４】
実施例３のリチウムイオン二次電池の集合体３０は、ワイヤ状またはロッド状のセル７を多数備え、これらを繊維８で編み込むことでシート状とされている。このような構造としたことにより、セル７の並列方向に対する曲げ動作の際にはセル７を連結する繊維８が屈曲することで、セル７自体が変形し正極と負極が短絡することを防いでいる。またセル７の摺動を可能としたことで、従来のリチウムイオン二次電池では構造が破壊されてしまう鋭角な屈曲に対しても、その機能を損なうことなく追従できる。さらにセル７の断面径を小さくすることで、これを編み込んで得られるシート状の構造は滑らかな湾曲面を構成することが可能になっている。
【００６５】
上記実施例１〜実施例３のリチウムイオン二次電池の集合体１０，２０，３０は、各種デバイスの湾曲または屈曲する部位への搭載が可能となり、デバイスを設計する際の自由度やデザイン性が向上する。またこれらの動作を繰り返してもデバイスの安定的な作動を確保できるという効果を奏する。より具体的にはリストウォッチなどの身体へ装着する電子機器のバンド部分に搭載することで、バンド部分の柔軟な湾曲または屈曲に追従し、さらに表示部分などの本体の設計およびデザインの自由度を向上させることができる。
【００６６】
リストウォッチのバンド部以外にも、例えば、身体装着型医療器具のベルト部、身体装着型パワーアシスト機器、電子機器のヒンジ部、各種フレキシブル電子デバイス、その他各種電子機器、電気機械の屈曲部位に適用することができる。
なお、本実施形態では二次電池としてリチウムイオン二次電池を例示したが、これに限られるものではなく、ニッケル・水素電池等の他の二次電池に適用することも可能である。
【００６７】
上記実施形態以外にも様々な変形例が考えられる。以下、変形例を挙げて説明する。
【００６８】
（変形例１）上記実施形態のリチウムイオン二次電池の集合体１０において、セル７は１本ずつ繊維８により編み込まれることに限定されない。例えば、２本のセル７を単位として編み込んでもよい。
【００６９】
（変形例２）上記実施形態のリチウムイオン二次電池の集合体１０において、複数のセル７を連結する繊維８や繊維１２の編み込み方法は、これに限定されない。例えば、複数本の繊維により１つの連結部を構成し、そのうちの１本によりセル７間で他の繊維を巻回するように編み込んでもよい。これによれば、セル７間での屈曲を可能としつつ、屈曲による剪断に強い構造とすることができる。
【００７０】
（変形例３）上記実施形態のリチウムイオン二次電池の集合体１０において、セル７における芯材１は、正極であることに限定されない。例えば、芯材１が正極であるセル７と、芯材１が負極であるセル７とを交互に配列させることにより、複数のセル７を電気的に直列に連結することもできる。
【符号の説明】
【００７１】
１…芯材、６…集電体層としての外部集電体層、７…電気化学素子としてのリチウムイオン二次電池のセル、８…連結部としての繊維、１０，２０，３０…電気化学装置としてのリチウムイオン二次電池の集合体、１３…第２電極としての外部電極、１６…第１電極としての外部電極。
【図１】
2014089973.tif 000003
【図２】
2014089973.tif 000004
【図３】
2014089973.tif 000005
【図４】
2014089973.tif 000006
【図５】
2014089973.tif 000007
【図６】
2014089973.tif 000008
【図７】
2014089973.tif 000009
【図８】
2014089973.tif 000010
【手続補正書】
【提出日】平成26年1月17日(2014.1.17)
【手続補正１】
【補正対象書類名】特許請求の範囲
【補正対象項目名】全文
【補正方法】変更
【補正の内容】
【特許請求の範囲】
【請求項１】
芯材としての第１集電体層と、
前記第１集電体層の周囲に形成された第１活物質と、
前記第１活物質の周囲に形成された第１電解質層と、
前記第１電解質層の周囲に形成された第２活物質層と、
前記第２活物質層の周囲に形成された第２集電体層と、を有する紐状の第１のセルと、
芯材としての第３集電体層と、
前記第３集電体層の周囲に形成された第３活物質と、
前記第３活物質の周囲に形成された第２電解質層と、
前記第２電解質層の周囲に形成された第４活物質層と、
前記第４活物質層の周囲に形成された第４集電体層と、を有する紐状の第２のセルと、
可撓性の第１の連結材と、
可撓性の第２の連結材と、
前記第１の連結材が接続される第１の電極と、
前記第２の連結材が接続される第２の電極と、
を含み、
前記第１の連結材は、前記第１集電体層が露出した部分と前記第３集電体層が露出した部分とを接続する帯状の導電体であり、
前記第２の連結材は、前記第２集電体層と前記第４集電体層とを接続する帯状の導電体であることを特徴とする電気化学装置。
【請求項２】
前記第２の連結材が複数用いられ、当該複数の前記第２の連結材が前記第２の電極に接続されていることを特徴とする請求項１に記載の電気化学装置。
【請求項３】
前記第１の連結材が複数用いられ、当該複数の前記第１の連結材が前記第１の電極に接続されていることを特徴とする請求項１又は２に記載の電気化学装置。
【請求項４】
芯材としての第１集電体層と、
前記第１集電体層の第１の部分の周囲に形成された第１活物質と、
前記第１集電体層の前記第１の部分以外の周囲に形成された保護材と、
前記第１活物質の周囲に形成された第１電解質層と、
前記第１電解質層の周囲に形成された第２活物質層と、
前記第２活物質層の周囲に形成された第２集電体層と、
を含み、紐状であることを特徴とする電気化学装置。
【手続補正２】
【補正対象書類名】明細書
【補正対象項目名】００１１
【補正方法】変更
【補正の内容】
【００１１】
本発明の適用に係るひとつの電気化学装置は、芯材としての第１集電体層と、前記第１集電体層の周囲に形成された第１活物質と、前記第１活物質の周囲に形成された第１電解質層と、前記第１電解質層の周囲に形成された第２活物質層と、前記第２活物質層の周囲に形成された第２集電体層と、を有する紐状の第１のセルと、芯材としての第３集電体層と、前記第３集電体層の周囲に形成された第３活物質と、前記第３活物質の周囲に形成された第２電解質層と、前記第２電解質層の周囲に形成された第４活物質層と、前記第４活物質層の周囲に形成された第４集電体層と、を有する紐状の第２のセルと、可撓性の第１の連結材と、可撓性の第２の連結材と、前記第１の連結材が接続される第１の電極と、前記第２の連結材が接続される第２の電極と、を含み、前記第１の連結材は、前記第１集電体層が露出した部分と前記第３集電体層が露出した部分とを接続する帯状の導電体であり、前記第２の連結材は、前記第２集電体層と前記第４集電体層とを接続する帯状の導電体であることを特徴とする。
上記のひとつの電気化学装置において、前記第２の連結材が複数用いられ、当該複数の前記第２の連結材が前記第２の電極に接続されていることが好ましい。
上記のひとつの電気化学装置において、前記第１の連結材が複数用いられ、当該複数の前記第１の連結材が前記第１の電極に接続されていることが好ましい。
本発明に係るひとつの電気化学装置は、芯材としての第１集電体層と、前記第１集電体層の第１の部分の周囲に形成された第１活物質と、前記第１集電体層の前記第１の部分以外の周囲に形成された保護材と、前記第１活物質の周囲に形成された第１電解質層と、前記第１電解質層の周囲に形成された第２活物質層と、前記第２活物質層の周囲に形成された第２集電体層と、を含み、紐状であることを特徴とする。
［適用例１］本適用例の電気化学装置は、第１芯材と第１負極活物質層と第１電解質層と第１正極活物質層と第１集電体層とを含む第１電気化学素子と、第２芯材と第２負極活物質層と第２電解質層と第２正極活物質層と第２集電体層とを含む第２電気化学素子と、前記第１電気化学素子と前記第２電気化学素子とを連結する可撓性を有する第１連結部と、前記第１芯材と前記第２芯材とに電気的に接続する第１電極と、前記第１集電体層と前記第２集電体層とに電気的に接続する第２電極と、を備えることを特徴とする。